(57)【要約】【課題】    汚れが付着しにくく、掃除を行いやすく、見栄えもすっきりとした衛生洗浄装置を備えたトイレ装置を提供する【解決手段】    腰掛便器と、前記腰掛便器の上に設けられ進退自在な洗浄ノズルを内蔵した衛生洗浄便座装置本体と、を備え、前記衛生洗浄便座装置本体は、前記腰掛便器の上部後方の平坦面においてボウルを覆わないように設けられ、前記衛生洗浄便座装置本体の前記ボウルに面する前面には、前記洗浄ノズルを突出させる開口部と、前記開口部に設けられた開閉自在の塞ぎ板と、が設けられたことを特徴とするトイレ装置を提供する。【選択図】    図１
2006283395.tif 000002
【特許請求の範囲】
【請求項１】
腰掛便器と、
前記腰掛便器の上に設けられ進退自在な洗浄ノズルを内蔵した衛生洗浄便座装置本体と、  を備え、
前記衛生洗浄便座装置本体は、前記腰掛便器の上部後方の平坦面においてボウルを覆わないように設けられ、
前記衛生洗浄便座装置本体の前記ボウルに面する前面には、前記洗浄ノズルを突出させる開口部と、前記開口部に設けられた開閉自在の塞ぎ板と、が設けられたことを特徴とするトイレ装置。
【請求項２】
前記衛生洗浄便座装置本体の前記前面は、前記ボウルの側壁面と略連続する湾曲面を有することを特徴とする請求項１記載のトイレ装置。
【請求項３】
前記衛生洗浄便座装置本体の前記前面は、略平面状であることを特徴とする請求項１記載のトイレ装置。
【請求項４】
前記衛生洗浄便座装置本体は、排気ファンと、触媒部と、脱臭ノズルと、前記脱臭ノズルを進退させる駆動部と、を含む脱臭装置をさらに有し、
前記脱臭ノズルは、先端に設けられた蓋と、周側面の少なくとも一部に設けられたフィルタと、を有し、
前記駆動部が前記脱臭ノズルを進出させた状態において前記フィルタを介して前記ボウルの空気を排気可能とし、
前記駆動部が前記脱臭ノズルを後退させた状態において前記フィルタは前記衛生洗浄便座装置本体の内部に収納され前記蓋が前記湾曲面の一部と連続的な曲面を構成することを特徴とする請求項２記載のトイレ装置。
【請求項５】
前記衛生洗浄便座装置本体は、送風ファンと、ヒータ部と、送風路と、を含む温風乾燥装置をさらに有し、
前記送風路から送出される温風は、前記開口部を介して放出されることを特徴とする請求項１〜４のいずれか１つに記載のトイレ装置。
【請求項６】
前記送風路から送出される前記温風の方向は、前記塞ぎ板により制御されることを特徴とする請求項５記載のトイレ装置。
【請求項７】
前記洗浄ノズルを突出させる時の前記塞ぎ板の開き角度と、前記送風路から前記温風を送出する時の前記塞ぎ板の開き角度と、が異なることを特徴とする請求項６記載のトイレ装置。
【請求項８】
前記腰掛便器の前記平坦面と、前記衛生洗浄便座装置本体との間の隙間への水分の浸入を抑制するパッキンをさらに備えたことを特徴とする請求項１〜７のいずれか１つに記載のトイレ装置。
【請求項９】
前記洗浄ノズルは、複数のシリンダからなる多段式として、前記衛生洗浄装置本体内に収納された状態と、使用状態とで、前記洗浄ノズルの長を変化させたことを特徴とする請求項１〜８のいずれか１つに記載のトイレ装置。
【請求項１０】
前記衛生洗浄便座装置本体は、ケースプレートとケースカバーとから構成され、前記ケースカバーの下端に後方に延びる底面片を設けたことを特徴とする請求項１〜９のいずれか１つに記載のトイレ装置。
【発明の詳細な説明】
【技術分野】
【０００１】
本発明は、トイレ装置に関し、より具体的には、洋式腰掛便器に腰かけた使用者の「おしり」などを水で洗浄する衛生洗浄便座装置を備えたトイレ装置に関する。
【背景技術】
【０００２】
衛生洗浄便座装置は、その内部に洗浄水を噴射する洗浄ノズルを進退自在に収容するため、腰掛便器の上面後部に設置して使用する形態のものが主流となっている。そして、洗浄ノズルを進退させたり、腰掛便器ボウル内の臭気の吸い込み口を設けるために、衛生洗浄便座装置を構成する本体ケースの前面が腰掛便器のボウル側に延出し、ボウル開口の一部を塞ぐ形態とされている。
【０００３】
しかし、このように本体ケースがボウル側に延出すると、その裏側などが汚れやすくなる。これに対して、清掃性をよくするために、例えば、本体ケースの延出部分を着脱自在とした構造が開示されている（例えば、特許文献１及び２）。
【特許文献１】特公平５−７４６５６号公報
【特許文献２】特開平６−１６７０４１号公報
【発明の開示】
【発明が解決しようとする課題】
【０００４】
しかし、掃除の際にいちいち延出部分を取り外すのは煩雑であり、また着脱の際などに延出部分を誤ってボウルの溜水内に落としてしまうなどの問題もある。
【０００５】
本発明は、かかる課題の認識に基づいてなされたものであり、汚れが付着しにくく、掃除を行いやすく、見栄えもすっきりとした衛生洗浄装置を備えたトイレ装置を提供するものである。
【課題を解決するための手段】
【０００６】
本発明の一態様によれば、
腰掛便器と、
前記腰掛便器の上に設けられ進退自在な洗浄ノズルを内蔵した衛生洗浄便座装置本体と、  を備え、
前記衛生洗浄便座装置本体は、前記腰掛便器の上部後方の平坦面においてボウルを覆わないように設けられ、
前記衛生洗浄便座装置本体の前記ボウルに面する前面には、前記洗浄ノズルを突出させる開口部と、前記開口部に設けられた開閉自在の塞ぎ板と、が設けられたことを特徴とするトイレ装置が提供される。
【０００７】
上記構成によれば、汚れが付着しにくく、掃除を行いやすく、見栄えもすっきりとした衛生洗浄装置を備えたトイレ装置を提供することができる。
【０００８】
ここで、前記衛生洗浄便座装置本体の前記前面は、前記ボウルの側壁面と略連続する湾曲面を有するものとすれば、特に見栄えがすっきりとし、また、掃除もしやすい。
【０００９】
また、前記衛生洗浄便座装置本体の前記前面は、略平面状であるものとしてもよく、ボウルの開口形状によらずに広範な形式の腰掛便器に適合させることが可能となる。
【００１０】
また、前記衛生洗浄便座装置本体は、排気ファンと、触媒部と、脱臭ノズルと、前記脱臭ノズルを進退させる駆動部と、を含む脱臭装置をさらに有し、
前記脱臭ノズルは、先端に設けられた蓋と、周側面の少なくとも一部に設けられたフィルタと、を有し、
前記駆動部が前記脱臭ノズルを進出させた状態において前記フィルタを介して前記ボウルの空気を排気可能とし、
前記駆動部が前記脱臭ノズルを後退させた状態において前記フィルタは前記衛生洗浄便座装置本体の内部に収納され前記蓋が前記湾曲面の一部と連続的な曲面を構成するものとすれば、脱臭ノズルを進出させた状態においてはボウル内の空気を効率的に吸引できるとともに、脱臭ノズルが後退した状態においては、衛生洗浄便座装置本体の前面は連続的な湾曲面を維持するので、見栄えがすっきりとし、男性の小用の際などにも小水の浸入を防ぎ、また汚れなどの付着も抑制できる。
【００１１】
また、前記衛生洗浄便座装置本体は、送風ファンと、ヒータ部と、送風路と、を含む温風乾燥装置をさらに有し、
前記送風路から送出される温風は、前記開口部を介して放出されるものとすれば、温風の吹き出し口を新たに設ける必要がなく、見栄えがすっきりとし、汚れや小水の浸入なども低減できる。
【００１２】
またさらに、前記送風路から送出される前記温風の方向は、前記塞ぎ板により制御されるものとすれば、塞ぎ板の開き角度を調節することにより温風の方向を制御できる。その結果として、使用者の「おしり」に確実に温風をあてることができ、さらに塞ぎ板の開き角度を変化させることにより広範囲に温風の方向を変えることもできる。
【００１３】
また、前記洗浄ノズルを突出させる時の前記塞ぎ板の開き角度と、前記送風路から前記温風を送出する時の前記塞ぎ板の開き角度と、が異なるものとすれば、洗浄ノズルを突出させる際には塞ぎ板と干渉することなく、しかも、温風を送出する時には、もっとも望ましい方向に風向を制御することが可能となる。
【００１４】
また、前記腰掛便器の前記平坦面と、前記衛生洗浄便座装置本体との間の隙間への水分の浸入を抑制するパッキンをさらに備えたものとすれば、衛生洗浄便座装置本体を取り外して掃除する必要がなくなり、長期間にわたって清潔かつ快適に使用できるトイレ装置を提供できる。
【００１５】
また、前記洗浄ノズルは、複数のシリンダからなる多段式として、前記衛生洗浄装置本体内に収納された状態と、使用状態とで、前記洗浄ノズルの長を変化させれば、衛生洗浄装置本体をコンパクトにすることができ、洗浄ノズルからの吐水位置も前寄りにすることができる。
【００１６】
また、前記衛生洗浄便座装置本体は、ケースプレートとケースカバーとから構成され、前記ケースカバーの下端に後方に延びる底面片を設けるようにすれば、ケースプレートとケースカバーの継ぎ目を後方に寄せることができるので、継ぎ目への水分の浸入を抑制できる。
【発明の効果】
【００１７】
本発明によれば、汚れが付着しにくく、掃除を行いやすくするとともに、見栄えもすっきりとした衛生洗浄装置を備えたトイレ装置を提供することができ、産業上のメリットは多大である。
【発明を実施するための最良の形態】
【００１８】
以下、図面を参照しつつ本発明の実施の形態について説明する。  
図１は、本発明の実施の形態の第１の具体例のトイレ装置を上方から眺めた模式図である。    
すなわち、このトイレ装置は、腰掛便器３００と、その上部後方の平坦面に付設された衛生洗浄便座装置本体５００と、を有する。衛生洗浄便座装置本体５００には、便座４１０（図示せず）と、便蓋４００と、が設けられている。
【００１９】
図２は、本具体例のトイレ装置の模式斜視図である。    
また、図３は、便座４１０と便蓋４００を取り外した状態を表す模式斜視図である。  本具体例の衛生洗浄便座装置本体５００は、使用者が便座４１０に座った状態で水を噴射させて「おしり」などを洗浄することができる装置であり、商標名「ウォシュレット」などとして普及しているものと同様の機能を有する。なお、本願明細書において「水」とは冷水のみならず、温水も含むものとする。衛生洗浄便座装置本体５００には、その他にも例えば、濡れた「おしり」を乾かす「温風乾燥機能」や、便座４１０を暖める「便座暖房機能」、腰掛便器内の臭いを除去する「脱臭機能」などを設けることができる。また、使用者の接近を検知して便蓋４００を自動的に開き、使用者がいなくなると便蓋４００を自動的に閉じる「オート開閉機能」を設けることもできる。これらの機能は、衛生洗浄便座装置本体５００に設けられた操作部（図示せず）を適宜操作することにより実行・設定でき、また、トイレの壁面などに設置されたリモコン（図示せず）を操作することにより実行させることも可能である。
【００２０】
またさらに、リモコン操作などにより腰掛便器３００に洗浄水を流す「自動水洗機能」を、衛生洗浄便座装置本体５００に付加してもよい。これは、ロータンクやフラッシュバルブの排水機構を動作させる駆動機構を設け、この駆動機構を動作させる信号を衛生洗浄便座装置本体５００から出力させて、腰掛便器３００に自動的に洗浄水を流す機能である。
【００２１】
そして、本具体例においては、衛生洗浄便座装置本体５００は水洗腰掛便器３００の上部後方の平坦面に設置され、その前面５１０が腰掛便器３００のボウル３１０の後部を覆わないように湾曲している。なおここで、「後方」とは、図１に表したように、通常ロータンクやフラッシュバルブなどが設置される側であり、通常の使用態様において使用者からみて遠い側を意味する。そして、この湾曲した前面５１０に、「おしり」を洗浄するための洗浄ノズルを出し入れするための開口部５２０が設けられている。開口部５２０には、塞ぎ板５２５が設けられ、洗浄ノズルは、この塞ぎ板５２５の裏側に収容されている。
【００２２】
図４は、比較例のトイレ装置を表す模式図である。  
すなわち、本比較例においては、衛生洗浄便座装置本体５００は、腰掛便器３００のボウル３１０に延出し、破線Ａにて表したように、その一部を覆うように設けられている。このように衛生洗浄便座装置本体５００がボウル３１０に延出していると、その裏側が溜水からの「跳ね」などにより汚れやすく、また、この延出した部分には、男性の小用の際などに小水がかかりやすくなる。
【００２３】
これに対して、本実施形態においては、図１乃至図３に表したように、衛生洗浄便座装置本体５００はボウル３１０に延出せず、湾曲した前面５１０がボウル３１０の開口部の湾曲側壁面と略一体的な曲面を形成している。その結果、汚れにくく、また、男性の小用の際などにも小水がかかりにくくなる。また、掃除の際にいちいち衛生洗浄便座装置本体５００を腰掛便器３００から取り外す手間が省け、掃除が極めて容易となる。またさらに、見た目にもすっきりとして、見栄えがよく、使用者に対して清潔感や衛生感を与え、快適な使い心地のトイレ装置を提供できる。
【００２４】
図５は、本実施形態の第２の具体例のトイレ装置を上方から眺めた模式図である。    
図６は、本具体例のトイレ装置の模式斜視図である。    
また、図７は、便座４１０と便蓋４００を取り外した状態を表す模式斜視図である。
【００２５】
本具体例においては、衛生洗浄便座装置本体５００の前面５１０は、略平面とされている。そして、この平面状の前面５１０に、「おしり」を洗浄するための洗浄ノズルを出し入れするための開口部５２０が設けられている。なお、本具体例においても、開口部５２０には、塞ぎ板５２５が設けられ、洗浄ノズルは、この塞ぎ板５２５の裏側に収容されている。
【００２６】
そして、本具体例においても、衛生洗浄便座装置本体５００はボウル３１０に延出せず、その平面状の前面５１０はボウル３１０の開口部の側壁面の最後端と略連続する位置に設けられている。その結果、やはり汚れにくく、また、男性の小用の際などにも小水がかかりにくくなる。また、掃除性にも優れ、見栄えや清潔感の点でも優れる。なお、図５乃至図７に表した具体例においては、衛生洗浄便座装置本体５００の平面状の前面５１０が、ボウル３１０の開口湾曲側壁面の最後端と略連続しているが、本発明はこれに限定されず、例えば、平面状の前面５１０がボウル３１０の開口湾曲側壁面の最後端よりも後方（ボウル３１０から遠ざかる方向）に設けられていてもよい。
【００２７】
図８は、本実施形態の衛生洗浄便座装置における洗浄ノズルの進退を説明するための模式断面図である。  
すなわち、同図（ａ）は洗浄ノズルが衛生洗浄便座装置本体５００内に収容された状態を表し、同図（ｂ）は洗浄ノズルがボウル３１０内に進出した状態を表す。  
洗浄ノズル５３０は、取り付け台５３２の上に設けられた第１シリンダ５３４と、第１シリンダ内に摺動自在に設けられた第２シリンダ５３６と、第２シリンダ内に摺動自在に設けられた第３シリンダ５３８と、を有する。第３シリンダ５３８の先端付近には、吐水口（図示せず）が設けられ、使用者の「おしり」などに向けて水を噴射可能とされている。
【００２８】
この洗浄ノズル５３０は、収納状態においては、図８（ａ）に表したように、第３シリンダ５３８が第２シリンダ５３６内に収容され、第２シリンダ５３６は第１シリンダ５３４内に収容され、第１シリンダ５３４は、取り付け台５３２の上で後方に後退した位置にある。
【００２９】
一方、使用状態においては、図８（ｂ）に表したように、第１シリンダ５３４は取り付け台５３２の上で前方に前進し、また、第２シリンダ５３６、第３シリンダ５３８がそれぞれ前方に進出する。塞ぎ板５２５は、例えば、スプリング（図示せず）などにより通常は開口部５２０を閉じた位置に付勢されている。そして、図８（ｂ）に表したように、洗浄ノズル５３０が前方に進展する際に、洗浄ノズルに押され付勢力に対抗して開く。また、後に詳述するように、アクチュエータなどを用いて塞ぎ板５２５を開閉可能としてもよい。
【００３０】
本具体例によれば、洗浄ノズル５３０を３段式として、洗浄ノズル５３０のノズル長を変化させることにより、収納状態においては、衛生洗浄便座装置本体５００の中にコンパクトに収容でき、一方、使用状態においては、使用者の「おしり」などを洗浄するための所定位置まで進出可能にできる。特に、本実施形態においては、図１乃至図７に関して前述したように、衛生洗浄便座装置本体５００の前面はボウル３１０の後部を覆わず、ボウル３１０の開口部の湾曲側壁面と略連続あるいはそれよりも後方（ボウル３１０から遠ざかる方向）に後退している。従って、衛生洗浄便座装置本体５００の奥行き（図８において左右方向の長さ）を短くする必要がある。これに対して、本具体例の洗浄ノズルは、３段式の構造を採用することにより、図８（ａ）に表したようにコンパクトに収納することができ、限られた奥行きの衛生洗浄便座装置本体５００の中に内蔵することが可能となる。また、洗浄ノズル５３０を３段式とすることにより、その先端の吐水口を衛生洗浄便座装置本体５００の前面５１０から十分に遠くまで進出させ、「おしり」などに確実に洗浄水を噴射することができる。
【００３１】
次に、本実施形態の衛生洗浄便座装置に設けることができる脱臭装置について説明する。    図９は、脱臭装置の一例を説明するための模式図である。    
すなわち、同図（ａ）は、脱臭装置の平面構成図、同図（ｂ）は、脱臭装置の正面図、同図（ｃ）は、脱臭装置の側面図である。
【００３２】
本具体例の脱臭装置５５０は、図１乃至図３に関して前述したように湾曲した前面５１０を有する衛生洗浄便座装置本体５００に取り付け可能なものである。脱臭装置５５０は、スライド可能な脱臭ノズル５５２と、脱臭ノズルを収容する本体部５５６と、本体部の後段に設けられた排気ファン５６０と、排気ファンの排出口に設けられた触媒部５６２と、を有する。脱臭ノズル５５２は、先端に設けられた蓋５５３と、周側面に設けられたフィルタ５５４と、を有する。フィルタ５５４は、主にホコリなどを取り除く役割を有し、例えば０．３〜１．０メッシュ程度の網目状のものを用いることができる。蓋５５３には、吸気のための開口は設けられていない。
【００３３】
脱臭装置の使用状態においては、図９（ａ）に表したように、脱臭ノズル５５２はボウル３１０に向けて側方から突出し、周側面のフィルタ５５４を介してボウル３１０内の空気を吸引する。排気ファン５６０の作用によりフィルタ５５４から吸引されたボウル３１０内の空気は、本体部５５６、排気ファン５６０を介して触媒部５６２に達する。触媒部５６２においては、例えば酸素やオゾンなどの作用により、吸気に含まれ臭気の原因となる有機ガス成分を分解あるいは吸着して臭気を除去する。臭気が除去された排気は、衛生洗浄便座装置本体５００の背面に設けられた排気口から排出される。
【００３４】
一方、脱臭ノズル５５２は、収納状態においては、図９（ａ）に矢印Ａで表した方向にスライドして衛生洗浄便座装置本体５００の中に収納される。この時、蓋５５３が衛生洗浄便座装置本体の湾曲した前面５１０と一体的な曲面を構成し、衛生洗浄便座装置本体５００の内部や脱臭装置５５０を保護して、小水や汚れの浸入を防止する。
【００３５】
図１０は、脱臭ノズル５５２の駆動機構を例示する模式図である。  
すなわち、本体部５５６にモータ５５７が設けられ、ボールネジ５５８を回転駆動可能とされている。一方、脱臭ノズル５５２には、ボールネジ５５８と螺合する軸受け５５５が設けられている。モータ５５７がボールネジ５５８を回転させると、その回転方向に応じて軸受け５５５に摺動方向の駆動力が作用し、脱臭ノズル５５２が所定の方向にスライドする。
【００３６】
図１１は、本具体例の脱臭装置５５０の動作を例示するフローチャートである。  
すなわち、待機状態においては、脱臭ノズル５５２は、図９（ａ）の矢印Ａの方向にスライドして衛生洗浄便座装置本体５００の中に収納されている（ステップＳ１０２）。  
そして、使用者がトイレ装置の便座４１０に座ると、衛生洗浄便座装置本体５００に設けられた着座センサ５０２（図１参照）がこれを検知する（ステップＳ１０４）。  
すると、衛生洗浄便座装置本体５００に内蔵された制御部（図示せず）の指令により、脱臭ノズル５５２がスライド進出して図９（ａ）に表した状態となる（ステップＳ１０６）。  続けて、排気ファン５６０が低速動作を開始する（ステップＳ１０８）。つまり、ボウル３１０の中の空気は排気ファン５６０により吸引され、触媒部５６２により臭気が除去されて排出される。
【００３７】
次に、使用者がトイレ装置の便座４１０から立ち上がると、着座センサ５０２が非検知となる（ステップＳ１１０）。  
すると、排気ファン５６０は高速運転を開始する（ステップＳ１１２）。これにより、使用者が立ち上がった直後のボウル３１０内の臭気を上方に逃がすことなく脱臭装置に吸引し、脱臭することができる。
【００３８】
一定時間の間、高速運転により脱臭したら（ステップＳ１１４）、排気ファン５６０を停止し（ステップＳ１１６）、脱臭ノズル５５２を図９（ａ）の矢印Ａの方向にスライドさせて衛生洗浄便座装置本体５００の中に収納する（ステップＳ１１８）。このようにして、再び待機状態に戻る（ステップＳ１２０）。
【００３９】
以上説明したように、本具体例によれば、使用者の着座と連動して脱臭ノズル５５２が湾曲した前面５１０の側方からボウル３１０内に進出し、確実かつ迅速に脱臭動作を開始できる。また一方、例えば、男性の小用の際などは、脱臭ノズル５５２は衛生洗浄便座装置本体５００の中に収納され、湾曲した前面５１０と一体的な曲面を構成する蓋５５３によって保護された状態にある。従って、小水や汚れの浸入を防ぐことができ、かつ見栄えもすっきりとして使用感に優れたトイレ装置を実現できる。
【００４０】
次に、本実施形態のトイレ装置に設けることができる温風乾燥装置について説明する。
【００４１】
図１２は、温風乾燥装置の一例を説明するための模式図である。  
すなわち、同図（ａ）は、温風乾燥装置の側面構成図、同図（ｂ）は、温風乾燥装置の平面図、同図（ｃ）は、温風乾燥装置の正面図である。  
温風乾燥装置５７０は、送風ファン５７２と、その排出側に設けられたヒータ部５７４と、その下流に設けられた送風路５７６と、を有する。送風ファンは、衛生洗浄便座装置本体５００の背面側から空気を取り込み、ヒータ部５７４に送風する。ヒータ部５７４において暖められた空気は、送風路５７６に送出される。送風路５７６は、洗浄ノズル５３０の両側に分岐して設けられている。これら送風路５７６から放出される温風は、衛生洗浄便座装置本体５００の開口部５２０を介して、使用者の「おしり」に向けて放出される。このようにして、洗浄ノズル５３０により洗浄した後の濡れた「おしり」などに温風をあてることにより、迅速に乾燥させることができる。
【００４２】
またこの時、開口部５２０に設けられた塞ぎ板５２５の角度を制御することにより、温風の向きを調節することができる。すなわち、図１２（ａ）に表したように、洗浄ノズル５３０が進出する際にはノズルに干渉しないように、塞ぎ板５２５の開き角度を大きくし、一方、温風を送る時には塞ぎ板５２５の開き角度を小さくして温風の向きを調節することができる。
【００４３】
図１３は、塞ぎ板５２５の作用を説明するための模式図である。  
すなわち、送風ファン５７２やヒータ部５７４のサイズや配置を考慮すると、送風路５７６の形状を工夫した場合でも、温風を水平方向に放出させることは容易ではなく、図１３に破線矢印Ｗ１で表したように、温風は斜め下に向けて放出されてしまう。しかし、これでは、便座４１０に座った使用者の「おしり」に効率的に温風があたらない。
【００４４】
これに対して、塞ぎ板５２５の開き角度を制御することにより、送風路５７６から放出された温風を実線矢印Ｗ２で表したように、「おしり」の方向に導くことができる。特に、本実施形態においては、図１乃至図７に関して前述したように、衛生洗浄便座装置本体５００の前面はボウル３１０の後部を覆わず、ボウル３１０の開口部の湾曲側壁面と略連続あるいはそれよりも後方（ボウル３１０から遠ざかる方向）に後退している。従って、図４に例示した比較例よりも、遠い位置から「おしり」に向けて温風を送出しなければならない。これに対して、本具体例によれば、塞ぎ板５２５を温風の「ガイド」として利用し、その開き角度を制御することにより、温風を確実かつ容易に「おしり」にあてることができる。
【００４５】
また本具体例においては、塞ぎ板５２５の開き角度に応じて温風の方向を変えることができるので、例えば、使用者が塞ぎ板５２５の開き角度を調節することにより、使用者の好みに応じた方向に温風を向けることができる。またさらに、塞ぎ板５２５の開き角度を周期的に変化させることにより温風の方向を周期的に変化させて、「おしり」の広い範囲にむらなく温風があたるようにすることもできる。
【００４６】
図１４は、塞ぎ板５２５の開閉機構を例示する模式図である。  
すなわち、本具体例においては、リニアアクチュエータ５２６が設けられ、その凸部５２６Ｐが矢印Ａの方向に直線駆動する。塞ぎ板５２５は、スプリング（図示せず）などにより開く方向に付勢されている。そして、塞ぎ板５２５の裏面に設けられた凸部５２５Ｐを、リニアアクチュエータ５２６の凸部５２６Ｐで押すことにより、塞ぎ板５２５を閉じたり、また所定の角度まで開くことができる。
【００４７】
例えば、同図において、リニアアクチュエータの凸部５２６Ｐが最も下がった位置Ａ１にある時、塞ぎ板５２５は完全に閉じた状態Ｐ１にある。そして、リニアアクチュエータの凸部５２６Ｐが上昇して位置Ａ２にある時、塞ぎ板５２５は水平に近い角度まで開いた状態Ｐ２となる。例えばこの状態において、温風乾燥装置５７０から送出される温風を使用者の「おしり」に向けてガイドすることができる。また、リニアアクチュエータの凸部５２６Ｐがさらに上昇して位置Ａ３にある時、塞ぎ板５２５はさらに開いた状態Ｐ３となる。この状態において、洗浄ノズル５３０が干渉せずに進出することができる。
【００４８】
また、本具体例において、温風を送出する際に、リニアアクチュエータ５２６を所定の範囲で上下運動させれば、塞ぎ板５２５の開き角度を周期的に変化させて「おしり」の広い範囲にむらなく温風をあてることもできる。
【００４９】
なお、図１４に表した駆動機構は一例に過ぎず、塞ぎ板５２５を開閉させる機構としては、各種のものを用いることができる。例えば、洗浄ノズル５３０を進出させるためのモータの出力を利用して塞ぎ板５２５を開閉させてもよい。  
また一方、洗浄ノズル５３０により塞ぎ板５２５の開き角度を調節してもよい。すなわち、塞ぎ板５２５をスプリングなどで閉じた位置に付勢しておき、洗浄ノズル５３０で塞ぎ板５２５を押して開けるようにすることができる。この場合には、洗浄ノズル５３０の進出量により塞ぎ板５２５の開き角度を調整できる。
【００５０】
図１５は、洗浄ノズルと温風乾燥装置による洗浄・温風乾燥動作のシーケンスの一例を表すフローチャートである。  
まず、待機状態においては、洗浄ノズル５３０は収納状態にあり、塞ぎ板５２５は閉じられている（ステップＳ２０２）。    
そして、使用者が便座４１０に座り、衛生洗浄便座装置本体５００やリモコンを操作して吐水スイッチをオンする（ステップＳ２０４）と、塞ぎ板５２５がまず吐水位置（図１４：Ｐ３）まで開く（ステップＳ２０６）。なおこの時、衛生洗浄便座装置本体５００に設けられた着座センサ５０２（図１参照）が検知状態である場合のみ、洗浄ノズルの動作が許可されるようにしてもよい。
【００５１】
塞ぎ板５２５が開くと、洗浄ノズル５３０が進出し、吐水を開始する（ステップＳ２０８）。そして、使用者が吐水スイッチをオフにする（ステップＳ２１０）と、吐水が停止し洗浄ノズル５３０が収納され（ステップＳ２１２）、塞ぎ板５２５が閉じる（ステップＳ２１４）。
【００５２】
次に、使用者が温風スイッチをオンにする（ステップＳ２１６）と、塞ぎ板５２５が温風位置（図１４：Ｐ２）まで開く（ステップＳ２１８）。そして、ヒータ部５７４と送風ファン５７２に通電され（ステップＳ２２０）、温風が使用者の「おしり」などに向けて放出される。  
使用者が温風スイッチをオフにする（ステップＳ２２２）と、ヒータ部５７４と送風ファン５７２の通電が終了し（ステップＳ２２４）、塞ぎ板５２５が閉じられて（ステップＳ２２６）、待機状態に戻る（ステップＳ２２８）。
【００５３】
次に、本実施形態のトイレ装置に設けることができる「捨て水」の排水路について説明する。  
図１６は、捨て水の排水路が設けられた衛生洗浄便座装置本体５００を例示する斜視取り付け図である。  
また、図１７は、この衛生洗浄便座装置本体５００の断面図である。
【００５４】
すなわち、衛生洗浄便座装置本体５００の中には、洗浄ノズル５３０にお湯や水を供給する水路系が内蔵されている。この水路系において、水やお湯を「捨て水」として経路外に排出する必要が生ずる場合がある。「捨て水」の発生源としては、例えば以下の要素を挙げることができる。
【００５５】
まず、水を加熱するための熱交換タンクに設けられた「水抜き弁」を挙げることができる。これは、メンテナンスなどの際に熱交換タンクから水を抜くための弁である。次に、水路上で調圧弁の２次側に設けられた「安全弁」を挙げることができる。これは、調圧弁が故障して水路の２次圧が上昇した時に、系外に水を放出するための弁である。また、「バキュームブレーカ」を挙げることができる。これは、熱交換タンクに付設され、水が洗浄ノズルの方向から逆流した時に、逆流水を系外に放出するための要素である。  
従って、これらの要素に排水チューブ５９２を接続し、排水路５９０に「捨て水」を導くとよい。
また、洗浄ノズル５３０から温水を吐水させる場合、予め衛生洗浄便座装置本体５００の中で吐水口から吐水させて水路内の冷水を排出させることがある。また、洗浄ノズル５３０による洗浄が終了した時、衛生洗浄便座装置本体５００の中で吐水口から吐水させることにより、吐水口の周辺の異物の付着を防止できる。さらにまた、洗浄ノズル５３０を使用する前に、その吐水口から吐水させて洗浄ノズル５３０を洗浄する場合がある。このようなノズル洗浄処理を衛生洗浄便座装置本体５００の中で行う場合、図１７に表したように、ノズル洗浄室５４０の中に洗浄ノズル５３０の先端を挿入した状態で、洗浄ノズル５３０から吐水させる。すると、洗浄ノズル５３０の先端付近が洗浄される。しかし、この洗浄水を衛生洗浄便座装置本体５００の外に排出する必要がある。
【００５６】
本具体例においては、これらの場合に備えて、「捨て水」の排水路５９０が設けられている。排水路５９０は、衛生洗浄便座装置本体５００の内部と連通し前面５１０から鉛直下方に延在して形成されている。また、本具体例においては、衛生洗浄便座装置本体５００の前面５１０に設けられた開口部５２０に連結され、開口部５２０を介して排出される「捨て水」を腰掛便器のボウル３１０内に導く役割を有する。このような排水路５９０を設けることにより、「捨て水」が衛生洗浄便座装置本体５００の内部に残留することを防ぎ、また、「捨て水」が排出される際に、衛生洗浄便座装置本体５００と腰掛便器３００との隙間に浸入することを防ぐことができる。
【００５７】
またさらに、このように下方に延在した排水路５９０を設けることにより、衛生洗浄便座装置本体５００を腰掛便器３００に取り付ける際に、「位置決め」を容易にできるという効果も得られる。すなわち、衛生洗浄便座装置本体５００を腰掛便器３００の上に載せ、後方（ボウル３１０から遠ざかる方向）に押して、排水路５９０がボウル３１０の側壁面に当接した位置を衛生洗浄便座装置本体５００の取り付け位置とすることができる。この状態において、衛生洗浄便座装置本体５００の前面５１０は、ボウル３１０の開口部の側壁面とほぼ同一面の位置にある。つまり、排水路５９０をボウル３１０の側壁面に当接させることにより、衛生洗浄便座装置本体５００を理想的な位置に簡単に位置決めすることができる。
【００５８】
次に、本実施形態のトイレ装置の衛生洗浄便座装置本体５００の筺体の構造について説明する。  
図１８は、衛生洗浄便座装置本体５００の筺体の構造を説明するための模式断面図である。すなわち、図１８（ａ）は、本実施形態において用いることができる筺体の一例を表し、図１８（ｂ）は、比較例の筺体を表す。
【００５９】
まず、図１８（ｂ）に表した比較例について説明すると、この筺体は、ケースカバー６０２とケースプレート６０４とからなる。ケースカバー６０２とケースプレート６０４とは、前面５１０の下端と、背面の中央付近で分割されている。つまり、筺体の継ぎ目が、前面５１０の下端に設けられている。  
しかし、この構造の場合、防水用のパッキンは、筺体の継ぎ目よりも後方に設けざるを得ない。そのため、図１８（ｂ）に矢印で表したように、腰掛便器３００と筺体との隙間に浸入した水分Ｈがこの継ぎ目に浸入しやすい。
【００６０】
これに対して、図１８（ａ）に表した具体例の場合、ケースカバー６０２とケースプレート６０４とは、下面の中央付近と、背面の上端付近で分割されている。つまり、ケースカバー６０２の下端に、後方に延びてケースプレート６０４の前端に連設される底面片６０３を延設したので、筺体の継ぎ目は、下面の中央付近に後退して設けられている。このような構造とすれば、腰掛便器３００の上面と筺体との隙間に水分Ｈが浸入しても、この継ぎ目まで進出することは容易でなく、継ぎ目への水分Ｈの浸入を抑制できる。  
またさらに、本具体例の構造によれば、防水用のパッキンを前面５１０の下端に取り付けることが容易となる。
【００６１】
図１９は、衛生洗浄便座装置本体５００の前面５１０の下端にパッキンを取り付けた具体例を表す模式断面図である。  
図１９（ａ）に表した具体例の場合、衛生洗浄便座装置本体５００の前面５１０の下端に、略チューブ状のパッキン６０６が設けられている。  
また、図１９（ｂ）に表した具体例の場合、衛生洗浄便座装置本体５００の前面５１０の下端に、前方に向けて鋭角的に突出したパッキン６０８が設けられている。
【００６２】
これらパッキン６０６、６０８は、例えば、合成ゴム系などの弾性材料により形成され、腰掛便器３００の上面と衛生洗浄便座装置本体５００との隙間への水分の浸入を阻止する役割を有する。なお、これらのパッキン６０６、６０８は、図１乃至図３に関して前述したようにボウル３１０の側壁面と略連続的な湾曲した前面５１０を有する衛生洗浄便座装置本体５００にも、また、図５乃至図７に関して前述したように平面状の前面５１０を有する衛生洗浄便座装置本体５００にも取り付け可能である。また、パッキン６０８を腰掛便器３００及び衛生洗浄便座装置本体５００と同系色とすれば、目立たずに見栄えもよい。
【００６３】
図２０は、本実施形態において設けることができるパッキンの他の具体例を表す模式断面図である。  
すなわち、本具体例においては、衛生洗浄便座装置本体５００の前面５１０の中央付近に片状のパッキン６１０が取り付けられている。このパッキン６１０は、前面５１０に沿って下方に延在し、腰掛便器３００と衛生洗浄便座装置本体５００との隙間を塞ぐことにより水分の浸入を抑制する。また、このようなパッキン６１０を設けることにより、汚れが隙間に詰まることがなく、例えば、雑巾などで表面を拭くことにより汚れを簡単に取り除くことができる。
【００６４】
またこの時、図２１に例示した如く、弾性材料からなるパッキン６１０に「内巻き」となるように付勢力を与えると、腰掛便器のボウル３１０の側壁面の形状に沿って密着し、水分の浸入をより確実に阻止できるとともに、見栄えもよくなる。
【００６５】
またさらに、図２２及び図２３に例示した如く、パッキン６１０の先端をボウル３１０の開口形状に合わせて切断してもよい。すなわち、腰掛便器のボウル３１０の開口形状は機種に応じて種々である。これに対して、パッキン６１０の先端を適宜切断してボウル３１０の開口形状に合わせることができれば、広範な形式の腰掛便器に衛生洗浄便座装置本体５００を取り付けて防水構造を確保でき、便利である。
【００６６】
以上、具体例を参照しつつ、本発明の実施の形態について説明した。しかし、本発明は、これらの具体例に限定されるものではない。例えば、図１乃至図２３に関して前述した特徴部分は、技術的な可能な範囲においていかようにも組合せることができ、これら組合せにより得られたトイレ装置についても、本発明の要旨を含む限りにおいて本発明の範囲に包含される。
【００６７】
また、本発明のトイレ装置に含まれる洗浄ノズル、脱臭装置、温風乾燥装置、着座センサ、筺体、リモコン、腰掛便器、ロータンクなどの各要素については、当業者が適宜設計変更することにより本発明を同様に実施し、同様の効果を得ることができるものも本発明の要旨を含む限り、本発明の範囲に包含される。
【００６８】
その他、本発明の実施の形態として上述したトイレ装置を基にして、当業者が適宜設計変更して実施しうるすべてのトイレ装置も同様に本発明の範囲に属する。
【図面の簡単な説明】
【００６９】
【図１】本発明の実施の形態の第１の具体例のトイレ装置を上方から眺めた模式図である。
【図２】本具体例のトイレ装置の模式斜視図である。
【図３】便座４１０と便蓋４００を取り外した状態を表す模式斜視図である。
【図４】比較例のトイレ装置を表す模式図である。
【図５】本発明の実施形態の第２の具体例のトイレ装置を上方から眺めた模式図である。
【図６】本具体例のトイレ装置の模式斜視図である。
【図７】便座４１０と便蓋４００を取り外した状態を表す模式斜視図である。
【図８】本実施形態の衛生洗浄便座装置における洗浄ノズルの進退を説明するための模式断面図である。
【図９】脱臭装置の一例を説明するための模式図である。
【図１０】脱臭ノズル５５２の駆動機構を例示する模式図である。
【図１１】本具体例の脱臭装置５５０の動作を例示するフローチャートである。
【図１２】温風乾燥装置の一例を説明するための模式図である。
【図１３】塞ぎ板５２５の作用を説明するための模式図である。
【図１４】塞ぎ板５２５の開閉機構を例示する模式図である。
【図１５】洗浄ノズルと温風乾燥装置による洗浄・温風乾燥動作のシーケンスの一例を表すフローチャートである。
【図１６】捨て水の排水路が設けられた衛生洗浄便座装置本体５００を例示する斜視取り付け図である。
【図１７】衛生洗浄便座装置本体５００の断面図である。
【図１８】衛生洗浄便座装置本体５００の筺体の構造を説明するための模式断面図である。
【図１９】衛生洗浄便座装置本体５００の前面５１０の下端にパッキンを取り付けた具体例を表す模式断面図である。
【図２０】本実施形態において設けることができるパッキンの他の具体例を表す模式断面図である。
【図２１】弾性材料からなるパッキン６１０に「内巻き」となるように付勢力を与えることを表した模式図である。
【図２２】パッキン６１０の先端をボウル３１０の開口形状に合わせて切断した模式図である。
【図２３】パッキン６１０の先端をボウル３１０の開口形状に合わせて切断した模式図である。
【符号の説明】
【００７０】
３００ 腰掛便器
３１０ ボウル
４００ 便蓋
４１０ 便座
５００ 衛生洗浄便座装置本体
５０２ 着座センサ
５１０ 前面
５２０ 開口部
５２５ 塞ぎ板
５２５Ｐ 凸部
５２６ リニアアクチュエータ
５２６Ｐ 凸部
５３０ 洗浄ノズル
５３２ 指示台
５３４ 第１シリンダ
５３６ 第２シリンダ
５３８ 第３シリンダ
５４０ ノズル洗浄室
５５０ 脱臭装置
５５２ 脱臭ノズル
５５３ 蓋
５５４ フィルタ
５５５ 軸受け
５５６ 本体部
５５７ モータ
５５８ ボールネジ
５６０ 排気ファン
５６２ 触媒部
５７０ 温風乾燥装置
５７２ 送風ファン
５７４ ヒータ部
５７６ 送風路
５９０ 排水路
６０２ ケースカバー
６０３ 底面片
６０４ ケースプレート
６０６、６０８、６１０ パッキン
【図１】
2006283395.tif 000003
【図２】
2006283395.tif 000004
【図３】
2006283395.tif 000005
【図４】
2006283395.tif 000006
【図５】
2006283395.tif 000007
【図６】
2006283395.tif 000008
【図７】
2006283395.tif 000009
【図８】
2006283395.tif 000010
【図９】
2006283395.tif 000011
【図１０】
2006283395.tif 000012
【図１１】
2006283395.tif 000013
【図１２】
2006283395.tif 000014
【図１３】
2006283395.tif 000015
【図１４】
2006283395.tif 000016
【図１５】
2006283395.tif 000017
【図１６】
2006283395.tif 000018
【図１７】
2006283395.tif 000019
【図１８】
2006283395.tif 000020
【図１９】
2006283395.tif 000021
【図２０】
2006283395.tif 000022
【図２１】
2006283395.tif 000023
【図２２】
2006283395.tif 000024
【図２３】
2006283395.tif 000025